(57)【特許請求の範囲】
【請求項１】
上下方向に延びる一対の縦枠と、前記一対の縦枠間に配置されるとともにその両端が各縦枠にそれぞれ遊嵌されるおもりと、前記おもりを少なくとも上下方向に関して前記縦枠に対して固定するための一対のおもり押えと、を備えたエレベーター用のつり合いおもりにおいて、
前記各おもり押えは、前記おもりの奥行き方向に関して互いに異なる位置で、前記おもりに接触して前記おもりを押え付ける第１の押付部材及び第２の押付部材を含み、
前記第１及び第２の押付部材は、前記おもりとの接触面の上下方向に関する位置を、互いに独立して調整可能となっており、
前記第１の押付部材は、縦枠の前記おもりの奥行き方向に関して前記縦枠の一側に固定されるとともに前記縦枠に対して上下方向に関して位置調整が可能な第１の金具であって、前記おもりを押え付けるための下方に突設された突起からなる押付部を有する第１の金具からなり、
前記第２の押付部材は、縦枠の前記おもりの奥行き方向に関して前記縦枠の他側に固定されるとともに前記縦枠に対して上下方向に関して位置調整が可能な第２の金具であって、下方に突設された前記おもりを押え付けるための突起からなる押付部を有する第２の金具からなり、
前記第１及び第２の金具は互いに重なり合う部分を有し、前記第１及び第２の金具の互いに重なり合う部分にはそれぞれ孔が形成され、前記第１及び第２の金具は前記孔に挿通されるボルトにより互いに結合され、前記第１及び第２の金具の孔の少なくとも一方は上下方向が長手方向となる長孔となっていることを特徴とする、エレベーター用のつり合いおもり。
【発明の詳細な説明】
【０００１】
【発明が属する技術分野】
本発明は、エレベーターのつり合いおもりに設置し、つり合いおもりの急停止時等に、おもりの飛上がりを防止するおもり押えに関するものである。
【０００２】
【従来の技術】
図１３は、エレベーターの全体構成を概略的に示す図である。図１３に示すように、エレベーターの昇降路１３上部の機械室１４には巻上機（図示せず）が設置されており、この巻上機のメインシーブ１５に吊り下げられた主索１６の一端には乗りかご１７が懸架されている。一方、主索１６の他端にはつり合いおもり１が懸架されている。
【０００３】
図１４は、図１３のＸ方向から見たつり合いおもり１の上部を示す図である。つり合いおもり１は、溝形鋼や軟鋼板などを溶接で接合して枠状に形成したつり合いおもり枠１ａと、つり合いおもり枠１ａに保持される複数枚のおもり２とを有している。
【０００４】
つり合いおもり枠１ａには、その左右端に上下方向に延びる一対の縦枠４が左右対称に設けられている。縦枠４はおもり２側に溝が形成された溝形鋼からなる。
【０００５】
縦枠４の上下端には、軟鋼の厚板から形成された帯板状の横板５が横に溶接されている。縦枠４の上下端には、小形の端板６がそれぞれ溶接されている。また上側の横板５の中央には、接続板７が溶接されている。接続板７には、主索１６が接続される。
【０００６】
つり合いおもり１は、その縦枠４の外側に設けられたガイドローラー（図示せず）と係合する昇降路１３に敷設された一対のガイドレール（図示せず）により上下方向に案内されている。つり合いおもり１は、メインシーブ１５を回転させることにより、乗りかご１７とともにつるべ式に昇降路１３を上下移動する。
【０００７】
また、左右の縦枠４、４の間には、複数のおもり２が配置されている。これらおもり２は、縦枠４の下端に溶接された横板（上側の横板６と略同一のもの）上に順に積み重ねられている。各おもり２の左右端には凸部が形成されており、各おもり２の凸部が縦枠４の溝部に遊嵌されている。おもり２の枚数は、かご１７全体の重量に対応して調整される。
【０００８】
ところで、つり合いおもり１には、エレベーターの急制動時または地震等により縦振動が生じた場合に、おもり２があばれないように押えるおもり押え１００が設けられている。おもり押え１００はボルト及びナット１０１を介してつり合いおもり１の縦枠４に固定され、その下面１０２で最上段のおもり２の上面を押え付ける構成となっている。
【０００９】
【発明が解決しようとする課題】
しかし、つり合いおもり１のおもり２として安価に製作可能な鋳物製のおもりを用いた場合には、おもり２の厚さ寸法の精度の悪さ、またはおもり２の表面の凸凹により、複数枚積重ねた場合、最上段のおもり２の上面が縦枠４の長手方向と直角(床面に対して水平)とはならない場合が多い（図１５の二点鎖線参照）。
【００１０】
このような場合に従来のおもり押え１００を用いると、図１５に示すように、おもり押え１００とおもり２の接する部分の片側に隙間ができ、一点での接触となってしまう。
【００１１】
このような状態では、エレベーター走行時の振動によりおもり２が揺れてしまい、騒音を発生させる場合もある。また、エレベーターの急制動時や地震等の縦振動により、おもり２の片方が飛び上がり、おもり押え１００に衝撃的に衝突することによりおもり押え１００がずれてしまう可能性があり、この場合、復旧作業に手間がかかる。
【００１２】
本発明は、上記実状に鑑みなされたものであり、おもりの形状精度が悪い場合でも、おもりが容易に動かないよう複数点または面で押え付けることができるおもり押えを提供することを目的とする。
【００１３】
【課題を解決するための手段】
上記目的を達成するため、本発明は、上下方向に延びる一対の縦枠と、前記一対の縦枠間に配置されるとともにその両端が各縦枠にそれぞれ遊嵌されるおもりと、前記おもりを少なくとも上下方向に関して前記縦枠に対して固定するための一対のおもり押えと、を備えたエレベーター用のつり合いおもりにおいて、前記各おもり押えは、前記おもりの奥行き方向に関して互いに異なる位置で、前記おもりに接触して前記おもりを押え付ける第１の押付部材及び第２の押付部材を含み、前記第１及び第２の押付部材は、前記おもりとの接触面の上下方向に関する位置を、互いに独立して調整可能となっており、前記第１の押付部材は、縦枠の前記おもりの奥行き方向に関して前記縦枠の一側に固定されるとともに前記縦枠に対して上下方向に関して位置調整が可能な第１の金具であって、前記おもりを押え付けるための下方に突設された突起からなる押付部を有する第１の金具からなり、前記第２の押付部材は、縦枠の前記おもりの奥行き方向に関して前記縦枠の他側に固定されるとともに前記縦枠に対して上下方向に関して位置調整が可能な第２の金具であって、下方に突設された突起からなる前記おもりを押え付けるための押付部を有する第２の金具からなり、前記第１及び第２の金具は互いに重なり合う部分を有し、前記第１及び第２の金具の互いに重なり合う部分にはそれぞれ孔が形成され、前記第１及び第２の金具は前記孔に挿通されるボルトにより互いに結合され、前記第１及び第２の金具の孔の少なくとも一方は上下方向が長手方向となる長孔となっていることを特徴としている。
【００１５】
【発明の実施の形態】
以下、本発明の実施形態を図面を参照して説明する。なお、以下の第１乃至第４の実施形態に係るつり合いおもりは、従来技術に対しておもり押えの部分のみが異なり、他の部分の構成は同一である。第１乃至第４の実施形態において、従来技術と同一部分については、同一符号を付し、重複する説明は省略する。
【００１６】
［第１の実施形態］
まず、第１の実施形態について説明する。図１乃至図３は、本実施形態に係るおもり押え３Ａの構成を詳細に示す図である。なお、従来技術を説明する図１５のおもり押え１００を本実施形態に係るおもり押え３Ａに置換した場合に、図１５のＡ−Ａ断面に相当する部位を表示する図が図１、図１５の領域Ｂに相当する部位を詳細に示す図が図２、図１５の矢印Ｃ方向からおもり押えを見た図が図３、である。
【００１７】
なお、以下、説明の簡略化のため、おもり２の長手方向すなわちおもり２の幅方向（図１及び図２における左右方向、図３の紙面法線方向）を左右方向と言い、おもり２の奥行き方向（図１及び図２における上下方向、図３の左右方向）を前後方向と言う（図４乃至図１２においても同じ）。
【００１８】
従来技術の説明においても述べたように、各おもり２の左右端には凸部２ａが形成されている。両縦枠４の溝部４ａは互いに対向しており、各おもり２の左右方向両端の凸部２ａは、両縦枠４の溝部４ａにそれぞれ遊嵌されている（図１参照）。
【００１９】
左右の縦枠４にはそれぞれ、おもり押え３Ａが取り付けられている。なお、つり合いおもり１は略左右対称の構成を有し、両縦枠４に取り付けられるおもり押え３Ａは互いに同一のものであるため、以下、そのうち一方についてのみ説明することとする。
【００２０】
おもり押え３Ａは、縦枠４に取り付けられる金具３０Ａ，３０Ｂを有する。特に図１に詳細に示すように、金具３０Ａ，３０Ｂは略コの字状に曲げ加工されている。
【００２１】
なお、以下の説明において、金具３０Ａ，３０Ｂのコの字をなす各面のうち、図１おいて左側に位置し図１の上下方向に延びる部分を第１部分３１、図１において右側に位置し図１の上下方向に延びる部分を第３部分３３、第１部分と第３部分とを連結するとともに図１の左右方向に延びる部分を第２部分３２ということとする。また、縦枠４のうち、図１において左側に位置し図１の上下方向に延びる面を第１部分４１、縦枠４の部分のうち、図１において上側に位置し図１の左右方向に延びる部分を第２部分４２、図１において下側に位置し図１の左右方向にに延びる部分を第３部分４３ということとする。なお、後に説明する第２乃至第４の実施形態においても、これらの用語は同様の定義で用いられる。
【００２２】
金具３０Ａの第１部分３１と第２部分３２とが接続される角部には、弧状の凸部３４が形成されており、これにより、金具３０Ａの第１部分３１と第２部分３２とが、縦枠４の第１部分４１及び第２部分４２とにそれぞれ密接できるようになっている。
【００２３】
なお、金具３０Ｂも金具３０Ａと同形に曲げ加工されているが、金具３０Ｂの第１部分３１と第３部分３３との距離が、金具３０Ａにおける第１部分３１と第３部分３３との距離に対して板厚分だけ大きくなっている。
【００２４】
金具３０Ａ，３０Ｂは、図１に詳細形状が示される座面が段付状に形成された特殊形状の座金８を介して、固定用のボルト９及び固定用のナット１０により、縦枠４に固定されている。ボルト９及びナット１０をゆるめることにより、金具３０Ａ，３０Ｂの上下方向の位置を調整することができる。金具３０Ａは、縦枠４の前側部分に固定され、金具３０Ｂは、縦枠４の後側部分に固定されている。金具３０Ａ，３０Ｂの第３部分３３は、後に詳述されるように共締めされ、これにより剛性を高めている。
【００２５】
特に図３に詳細に示すように、金具３０Ａ，３０Ｂの第３部分３３は、第２部分３２から遠い側が切り欠かかれており、これにより金具３０Ａ，３０Ｂの第３部分３３には、第２部分３２側に、下方に突出する突起３５が形成されている。
【００２６】
これらの金具３０Ａ，３０Ｂの第３部分３３同士は、おもり２側において互いに重ねられている。金具３０Ａ，３０Ｂの第３部分３３には、孔３６、３７がそれぞれ形成されている。金具３０Ａ，３０Ｂのいずれか一方の孔（本例では金具３０Ｂの孔３７）は、図４に示すように長孔となっている。他方の孔は、長孔でも正円の孔でもよい。これらの孔３６，３７には結合用のボルト１１が挿通されており、ボルト１１及びこれと螺合する結合用のナット１２により、金具３０Ａ，３０Ｂが互いに結合される。
【００２７】
このように形成された金具３０Ａ，３０Ｂは、金具３０Ａ，３０Ｂのいずれか一方に長孔が形成されているため、金具３０Ａ，３０Ｂの上下方向に関する相対位置を自在に調節することができる。このため、最上段のおもり２の上面が縦枠４と直角（床面と水平）となっていなかった場合においても、金具３０Ａ，３０Ｂを上下方向に関して段差を付けて取り付けることができる。
【００２８】
また、金具３０Ａ，３０Ｂの第３部分３３の下面が切欠かれていることにより、おもり２の前後方向に関して両端部分で、金具３０Ａ，３０Ｂのそれぞれ１箇所、計２箇所でおもりを押え付けることができる。このため、最上段のおもり２の上面が水平面に対して傾斜している場合でも、金具３０Ａ，３０Ｂにより隙間なくしっかりとおもり２を押えることができる。
【００２９】
なお、本実施形態においては、金具３０Ａ，３０Ｂの下部を切欠くことにより金具３０Ａ，３０Ｂに突起１８を形成したが、金具３０Ａ，３０Ｂに溶接等により部材を接合することにより突起３５を設けてもよい。
【００３０】
［第２の実施形態］
次に、図４乃至図６を参照して第２の実施形態について説明する。図４、図５及び図６は、第１の実施形態の説明で参照した図１、図２及び図３にそれぞれ対応する図である。なお、第２の実施形態において、第１の実施形態と同一部分については、同一符号を付し、重複する説明は省略する。
【００３１】
図４、図５及び図６に示すように、本実施形態に係るおもり押え３Ｂは、おもり２を押し付けるための金具５０と、この金具５０を支持するための基材としてのコの字形の金具３０Ｃ，３０Ｄと、を有している。
【００３２】
金具３０Ｃ，３０Ｄの全体形状及び金具３０Ｃ，３０Ｄを縦枠４に固定する手法は、第１の実施の形態の金具３０Ａ，３０Ｂのそれと略同一である。以下、金具３０Ａ，３０Ｂとの相違部分について説明する。
【００３３】
まず、金具３０Ｃ，３０Ｄの第３部分の下面には、第１の実施の形態の金具３０Ａ，３０Ｂに設けられていた突起３４は設けられていない。
【００３４】
また、コの字形の金具３０Ｃの第３部分３３には、上下方向に間隔をおいて形成された一対の孔３６ａ，３６ｂが形成されており、同様に、金具３０Ｄの第３部分３３３には、上下方向に間隔をおいて形成された一対の孔３７ａ，３７ｂ（これらの孔３６ａ，３６ｂ、３７ａ，３７ｂは挿通されるボルト１１の径に対応した径の真円である）が形成されている。
【００３５】
次に金具５０について説明する。金具５０は、金具３０Ｄの第３部分３３に密接する鉛直部分５１と、鉛直部分５１と直交する方向に延びる水平部分５２とを有する。そして、この水平部分５２の底面が最上段のおもり２を押える押付面となっている。
【００３６】
また、特に図６に示すように、金具５０には、その前後方向（図６左右方向）中央部に上下方向が長手方向となる長孔５３が形成されている。また、金具５０には、長孔５３の上方に、長孔５３の真上の位置を基準として図６左右方向に対称に延びる長孔５４が形成されている。すなわち長孔５３の長手方向と長孔５４の長手方向とは、互いに直交する関係にある。
【００３７】
金具３０Ｃ，３０Ｄの第３部分３３の下側に設けられた孔３６ｂ，３７ｂと、金具５０の下側に設けられた長孔５３には、ボルト１１ｂが挿通されている。金具３０Ｃ，３０Ｄの上側に設けられた孔３６ａ，３７ａと、金具５０の上側に設けられた長孔５４にも同様に、ボルト１１ａが挿通されている。金具３０Ｃ，３０Ｄは、これら結合用のボルト１１ａ，１１ｂとこれらにそれぞれ螺合する結合用のナット１２ａ，１２ｂを用いて共締めされる。
【００３８】
ここで、金具５０に長孔５３、５４が設けられているため、金具５０の底面の、水平面に対する傾斜角度を調整することができる。このため、例えば、最上段のおもり２の上面が縦枠４と直角(床面と水平)となっていなかった場合においても、面接触でおもりを押え付けることができ、隙間なくしっかりおもりを押えることができる。
【００３９】
なお、上記実施形態においては、金具５０に形成された孔は縦方向及び横方向にそれぞれ延びる長孔５３、５４であったが、これに代えて、一方の孔例えば下の孔を真円の孔とするとともに他方の孔（この場合上の孔）を前記真円の孔を中心とする円弧状の長孔としてもよい。この場合も、同様の作用を持たせることができる。
【００４０】
また、上記実施形態においては、金具５０を支持するための基材として、互いに結合されるコの字形の金具３０Ｃ，３０Ｄを用いたが、これに限定されるものではなく、金具５０を支持するための基材は、縦枠４に上下方向に位置調節可能に固定できるものならば、他の構成のものを用いてもよい。
【００４１】
［第３の実施形態］
次に、図７乃至図９を参照して第３の実施形態について説明する。図７、図８及び図９は、第１の実施形態の説明で参照した図１、図２及び図３にそれぞれ対応する図である。なお、第３の実施形態において、第２の実施形態と同一部分については、同一符号を付し、重複する説明は省略する。
【００４２】
図８、図９及び図１０に示すように、本実施形態に係るおもり押え３Ｃは、おもり２を押し付けるための一対のボルト５７，５８と、ボルト５７，５８を支持するための支持具としての金具５０Ａと、金具５０Ａを支持する基材としてコの字形の金具３０Ｃ，３０Ｄ（第２の実施形態の金具３０Ｃ，３０Ｄと全く同一のもの）と、を有している。
【００４３】
金具５０Ａは、第２の実施形態に係る金具５０と略同一の全体形状を有する。以下、金具５０Ａと金具５０との相違点について説明する。金具５０Ａには、第２の実施形態の金具５０に設けられていた長孔５３，５４に代えて、真円の孔５５、５６が形成されている。従って、金具５０自体の傾斜角度を調整することはできない。
【００４４】
金具５０Ａの前後方向（図９左右方向）両端には、雌ネジが形成されたネジ孔５９ａ，５９ｂが形成されており、ネジ孔５９ａ，５９ｂにはボルト５７、５８がそれぞれ螺合している。ボルト５７、５８の先端は、最上段のおもり２の上面に当接する。
【００４５】
従って、最上段のおもり２の上端面が縦枠４と直角(床面と水平)となっていなかった場合においても、金具５０Ａのネジ孔に取り付けられたボルト５７、５８の締め込み量を調節することにより、おもり２の上面の前後方向（奥行き方向）端部を２点で押え付けることができ、隙間なくしっかりおもりを押えることができるようになる。
【００４６】
なお、上記実施形態においては、コの字形の金具３０Ｃ，３０Ｄと金具５０Ａが別体に形成されボルト結合されているが、これに限定されるものではなく、金具５０Ａが金具３０Ｃ若しくは金具３０Ｄと一体的に形成されていてもよい。
【００４７】
［第４の実施形態］
次に、図１０乃至図１２を参照して第４の実施形態について説明する。図１０、図１１及び図１２は、第１の実施形態の説明で参照した図１、図２及び図３にそれぞれ対応する図である。
【００４８】
図１０乃至図１２に示すように、本実施形態に係るおもり押え３Ｄは、おもりを押し付けるための金具８０すなわち押え金具と、一対の金具７０Ａ，７０Ｂと、一対のネジ棒９１、９２とを有する。
【００４９】
金具７０Ａ、７０Ｂは、縦枠４の長手方向(上下方向)の中央部より上部において、縦枠４の第３部分４３の前面及び第２部分４２の後面にそれぞれ取り付けられている。金具７０Ａ、７０Ｂは、縦枠４から左右方向におもり２側に向かって突出している。金具７０Ａ、７０Ｂは、上側から見た場合、おもり２の凸部２ａを、前後方向両側から挟む位置に配置されている。金具７０Ａ、７０Ｂのおもり２側の先端には、孔７１、７２がそれぞれ形成されている。
【００５０】
金具８０は、最上段おもり２の上に配設されている。金具８０は、最上段おもり２の凸部２ａの上を横切るように配置され、金具８０の前後方向の長さは、おもり２の凸部２ａの前後方向長さより大きい。金具８０の前後方向両端は、上側から見た場合、おもり２の凸部２ａからはみ出しており、その部分すなわち金具８０の両端部には、孔８１、８２が形成されている。
【００５１】
ネジ棒９１、９２の上下端には、雄ネジが形成されている。ネジ棒９１は、金具７０Ａの孔７１とその直上部にある金具８０の孔８１に挿通されている。ネジ棒９１の下側のネジ部には、ナット９３ａ，９３ｂが螺合し、ナット９３ａ，９３ｂは金具８０をその上下両面から締め付けている。ネジ棒９１の上側のネジ部には、ナット９４ａ，９４ｂが螺合し、金具８０をその上側から締め付けているなお、上側のナット９４ｂはナット９４ａのゆるみ止めの役割を果たす。
【００５２】
同様に、ネジ棒９２は、金具７０Ｂの孔７２とその直上部にある金具８０の孔８２に挿通されており、ネジ棒９１と同様にナット９３ａ，９３ｂ、９４ａ，９４ｂと螺合することにより、金具８０と金具７０Ｂとを互いに結合している。
【００５３】
このため、例えば、最上段のおもり２の上端面が縦枠４と直角(床面と水平)となっていなかった場合においても、ナット９４ａ，９４ｂの締め込み量を調節してネジ棒９１，９２による締結長さ（金具８０と金具７０Ａ若しくは金具７０Ｂとの距離を意味する）を変化させることにより、金具８０の傾斜角度を調節することができる。このため、金具８０の底面すなわち押付面をおもり２に面接触させた状態でおもり２を金具８０により押え付けることができ、隙間なくしっかりおもり２を押えることができるようになる。
【００５４】
また、かごの仕様によりかごの重量が変化し、つり合いおもりのおもり量が変化した場合においても、長いのネジ棒９１、９２を用意しておけば、金具８０の位置を容易に調整することができる。
【００５５】
【発明の効果】
以上説明したように、本発明によれば、おもりを確実に保持することができるため、おもり揺れによる騒音の発生や、急制動を行う場合や縦振動が発生した場合でもおもりの移動を抑制することができる。
【図面の簡単な説明】
【図１】本発明によるつり合いおもりの第１の実施形態を示す図であって、つり合いおもり縦枠とこれに係止されるおもり押えを拡大して示す図。
【図２】図１に示すおもり押えの前面図。
【図３】図１に示すおもり押えの側面図。
【図４】本発明によるつり合いおもりの第２の実施形態を示す図であって、つり合いおもり縦枠とこれに係止されるおもり押えを拡大して示す図。
【図５】図４に示すおもり押えの前面図。
【図６】図４に示すおもり押えの側面図。
【図７】本発明によるつり合いおもりの第３の実施形態を示す図であって、つり合いおもり縦枠とこれに係止されるおもり押えを拡大して示す図。
【図８】図７に示すおもり押えの前面図。
【図９】図７に示すおもり押えの側面図。
【図１０】本発明によるつり合いおもりの第４の実施形態を示す図であって、つり合いおもり縦枠とこれに係止されるおもり押えを拡大して示す図。
【図１１】図１０に示すおもり押えの前面図。
【図１２】図１０に示すおもり押えの側面図。
【図１３】エレベーター昇降路を概略的に示す図。
【図１４】従来のつり合いおもりの上部を示す正面図。
【図１５】図１４に示すおもり押えの側面図。
【符号の説明】
１  つり合いおもり
２  おもり
３Ａ，３Ｂ，３Ｃ，３Ｄ  おもり押え
４  縦枠
３０Ａ  第１の金具
３０Ｂ  第２の金具
３０Ｃ，３０Ｄ、７０Ａ，７０Ｂ  基部
３０Ａ、５７  第１の押付部材
３０Ｂ、５８  第２の押付部材
３３  互いに重なり合う部分
３７  長孔
５０Ａ  ボルト保持具
５７  第１のボルト
５８  第２のボルト
５０、８０  押付部材
５３  押付部材の第１の長孔
５４  押付部材の第１の長孔
９１、９２  ネジ軸（ネジ棒）
【図１】
0004298843.tif 000002
【図２】
0004298843.tif 000003
【図３】
0004298843.tif 000004
【図４】
0004298843.tif 000005
【図５】
0004298843.tif 000006
【図６】
0004298843.tif 000007
【図７】
0004298843.tif 000008
【図８】
0004298843.tif 000009
【図９】
0004298843.tif 000010
【図１０】
0004298843.tif 000011
【図１１】
0004298843.tif 000012
【図１２】
0004298843.tif 000013
【図１３】
0004298843.tif 000014
【図１４】
0004298843.tif 000015
【図１５】
0004298843.tif 000016